(57)【要約】【課題】コンクリート面に自動販売機を据付けるに際し、アンカーボルトを用いて据付ける方法を開発すること。【解決手段】コンクリート面の所定場所に穴を設け、次いでその下の土部分に上記コンクリート面に設けた穴よりも直径の大きい穴を形成し、前記穴より、羽根型アンカーボルトを挿入し、羽根を開いた状態となして、アンカーボルトを締め上げて仮固定し、穴の残部の空隙に、モルタルを注入して、アンカーボルトを安定させた後、その上に平板ブロック（鉄板）を用いてレベリングを共締めして自動販売機を固定すること【選択図】    図１
2006228166.tif 000002
【特許請求の範囲】
【請求項１】
コンクリート面の所定場所に穴を設け、次いでその下の土部分に上記コンクリート面に設けた穴よりも直径の大きい穴を形成し、前記穴より、羽根型アンカーボルトを挿入し、羽根を開いた状態となして、アンカーボルトを締め上げて仮固定し、穴の残部の空隙に、モルタルを注入して、アンカーボルトを安定させた後、その上に平板ブロック（鉄板）を用いてレベリングを共締めして自動販売機を固定することを特徴とするアンカーボルトを用いたコンクリート面への自動販売機等の据付け施工法
【請求項２】
上記コンクリート面に穴を設けるに際し、コンクリート面に振動ドリルを使用してコンクリート用コアードリルを用いてφ４０ｍｍの穴を設ける請求項１に記載の据付け施工法
【請求項３】
土部分に上記コンクリート面に上記穴をあけるに際し、土穴ぐり用ドリルで硬い土部分をほぐし、次いで穴ぐり用ツールで土を掘り、バキュームで吸引して穴内に残存する土を除去する請求項１又は２に記載の据付け施工法
【請求項４】
請求項１に於いて、羽根型アンカーボルトを挿入し、羽根を開いた後、仮締め治具でアンカーボルトを締上げ、じょうごを用いて、穴の残部にモルタルを注入した後、仮締め治具を外す手段を行う据付け施工法
【請求項５】
請求項１の施工法に於いて、使用する羽根型アンカーボルト
【請求項６】
羽根はコンクリート面に設けた穴に挿入する前では開かず、挿入後Ｖ字型に開く構造を有するものである請求項５に記載の羽根型アンカーボルト
【発明の詳細な説明】
【技術分野】
【０００１】  厚みがたとえば５０ｍｍ以下の如き薄いコンクリート層の面上に自動販売機の如きある一定の期間据付けて使用する物品を、アンカーボルトを用いて据付ける施工方法並びにこの方法に使用するアンカーボルトに関する。
【背景技術】
【０００２】  自動販売機の如き、重量が大きく且つ一定期間据付けて使用する物品（以下これ等を代表して自動販売機という）を、コンクリート面に据付けることは従来から通常行われている。【０００３】  これは通常コンクリート面に穴をあけ、この穴の中にアンカーボルトを挿入して行うものである。しかし乍らこの方法はコンクリート面の厚さが５０ｍｍ以上の場合であって、これ以下の厚みのコンクリート面に対してはアンカーボルトの使用による充分な引抜き強度が出ないため、実質的に使用出来ない。【０００４】  このため、厚みがうすいコンクリート面に対する従来の自動販売機の据付けには、アンカーボルトを使用せず、自動販売機据付用コンクリート平板ブロック又は長尺コンクリート平板ブロックを用いて、自動販売機を据付けするものであった。このため据付けられた自動販売機は極めて不安定であり、何等かの余分の応力が加わっただけで、動いたり、据付位置がずれたり、ひどいときには倒れたりして、事故の恐れが極めて高いものであった。
【発明の開示】
【発明が解決しようとする課題】
【０００５】  本発明の目的は、厚みのうすいコンクリート面に対しても、アンカーボルトを用いて自動販売機を据付出来る新しい据付け方法を開発することである。
【課題を解決するための手段】
【０００６】  この課題は、コンクリートの所定面に穴を設け、次いでその下の土部分に上記コンクリート面に設けた穴よりも大きい穴を形成し、前記穴より、羽根型アンカーボルトを挿入し、羽根を開いた状態となして、アンカーボルトを締め上げて仮固定し、穴の残部の空隙に、モルタルを注入して、アンカーボルトを安定させた後、その上に平板ブロック（鉄板）を用いてレベリングを共締めして自動販売機を固定する手段を採用することによって解決される。この際モルタルを注入することにより、このモルタルが硬化後、羽根型アンカーボルトと一体化する。これにより引抜荷重をコンクリート層の下部面（１００φｍｍ２）で受けることとなり、これに基づき大きな強度（２０００ｋｇｆ）が得られることとなる。【０００７】  先ず本発明の施工方法の概略を図１に示す。図１中（１）は自動販売機、（２）はコンクリート層、（３）は平板ブロック、（４）は羽根型アンカーボルト、（５）はセメントモルタル、（６）はアンカーボルト共締め用ナット、（７）は自動販売機の足、（８）は土部を示す。【０００８】  コンクリート面であっても厚みの小さいものたとえば５０ｍｍ以下のものでは、厚みが小さいためアンカーボルトの充分な引抜き強度が出ないので、アンカーボルトを使用できない。このため、図１に示す本発明の方法で施工する。【０００９】  先ず、図２−イ〜図２−ヘに示す通りコンクリート面（２）に振動ドリルを使用してコンクリート用コアードリルを使用してφ４０ｍｍの穴をあける。この際ハンマードリルを使用すると、コンクリートに亀裂が入る場合があり、更に穴の下部がわれる恐れがあるためである。【００１０】  次に羽根型アンカーボルトを埋め込むための筒状の穴をコンクリート面に設けた穴の下の土部分に掘る。この際羽根型アンカーボルトを埋め込む深さは、コンクリートの下部から更に少なくとも６０ｍｍ以上の深さとする必要があるため、コンクリート層の下部の土部に筒状の穴を掘る。この際の穴の大きさはたとえば深さ約１００ｍｍ以上、直径約１００ｍｍφ径以上の筒状の穴で良い。このコンクリート下部の土層に上記穴を設けるために、先ずコアードリル（φ４０）であけた穴（８）を、土穴ぐりドリル（９）で硬い土部分をほぐして大きな穴を掘り易くする。なおこの土穴ぐり用ドリル（９）は、本発明者により新たに開発された工具であり、図５に示す如き新しい工具である。この土穴ぐり用ドリル（９）については後記で更に説明する。【００１１】  周囲をほぐした後、図２−ニに示す如く穴ぐり用ツール（１０）で土を掘り、上記に示した筒状の大きな穴を掘り、次に穴内に残存する土をバキュームで吸引して取り除く。【００１２】  そして図２−ヘから図３−ロに示す如く、羽根型特殊アンカー（４）を上記筒状の大きな穴に挿入し、羽根を開いた後、図３−ハに示す通り仮締め治具（１１）でアンカーボルトを締上げて仮固定する。【００１３】  更に詳しく説明すると以下の通りである。
このアンカーボルト（４）は、羽根（１２）を閉じた状態で穴の中に挿入し、次いで羽根を開き、この状態で仮締め治具（１１）をセットして、この治具によりアンカーボルト（４）を締め上げて仮固定する。この仮締め治具（１１）も、発明者がこの施工法実施に際し新しく開発したものであり、後記で詳しく説明する。【００１４】  次に、流し込み用じょうご（１３）を使用して、図３−ニ〜図３−ヘに示す様に筒状の穴の空隙内へモルタルを流し込み、アンカーボルトを固定させた後、図４−イ及び図４−ロに示す通り仮締め治具を外す。次いで図４−ハから図４−ホに示す通り、その上から、平板ブロック又は鉄板（３）を載置して自動販売機を設置する。そしてレベリングを共締め固定する。【００１５】  尚、平板ブロックを使用した場合、平板の穴とボルトの隙間にモルタルを流し込み、安定させることで強度が更に増す。【００１６】  以下に本発明者が新しく開発した土穴ぐり用ドリル（９）、羽根型特殊アンカーボルト（４）、及び該ボルト（４）を仮締めするための仮締め治具（１１）について、夫々詳しく説明する。【００１７】  先ず土穴ぐり用ドリル（９）は図２−ロ及び図５−ロに示す如き形状を有し、全体の長さは８０ｍｍ程度で先端がほぼ直角に曲がった刃先を有し、その刃先の長さは２５ｍｍ程度である。このドリルを使用するに際しては、図２−ロに示す如く、ドリル用電動機を用いて、穴を掘るものである。材質は硬い金属であれば良く、通常鋼製である。【００１８】  また羽根型特殊アンカーボルト（４）も本発明者によりはじめて開発されたもので、たとえば図３−ハから図４〜１に示すような構造のものである。穴に挿入するときは、羽根は、図２−ヘに示す如く閉じており、挿入後図３−イの如く羽根が開く構造となっている。挿入した後、該ボルト（４）を上方に少し引っ張ると、羽根（１２）は図３−イの如く開く構造となっている。このアンカーボルトの材質も通常鋼製である。この羽根型特殊アンカーボルト（４）は、挿入後図３−イに示した通り、羽根が上方に向かって開くために、アンカーボルトとしての作用が大きく発揮され、その強度（据付強度）が大きくなり、強固に自動販売機をコンクリート面に大きな強度で固定することが出来る。【００１９】  また仮締め治具（１１）もやはり本発明者の新しく開発した治具であり、アンカーボルトを所定の位置に正確に固定するために使用されるものである。材質は金属製で鋼をはじめその他硬質金属が使用される。この治具（１１）は図３−ハから図３−ヘに示すものである。これを用いてアンカーボルトを仮締した後、その空間からモルタルを流し込んでアンカーボルト（４）を固定するが、この際、じょうごを用いて、仮締め治具の空間より、モルタルを流しこむのが、極めて便利であり、この治具にはこのじょうごと組合せて一組として使用することが好ましい。【００２０】  なお本施工法で使用した穴あけ工具について念のため図５に示す。図中（イ）はコアドリル、（ロ）は土穴ぐり用ドリル、（ハ）は土穴ぐり用ツールである。
【発明の効果】
【００２１】  本発明の施工法に依ると、従来全くアンカーボルトを用いて自動販売機等の据付けが出来なかった厚みの薄いコンクリート面に対しても、アンカーボルトを用いて据付けが出来、強度大きく、安定した据付けが可能となる。【００２２】  そして本発明により始めて開発された羽根型アンカーボルトを使用し、また同じく穴ぐり特殊ドリルや仮締め治具を用いることにより、極めて効率良く、確実にアンカーボルトによる自動販売機等のコンクリート面への据付が、極めて簡単に、特に熟練を要せずに行うことが出来る。そして特に注目すべきは、後の実施例でも示す通り、その据付強度が極めて大きく、かなり大きな力でも全くビクともしない安定した据付がコンクリート面に出来ることにある。
【発明を実施するための最良の形態】
【００２３】  以下に実施例を示して本発明を詳しく説明する。
【実施例１】
【００２４】  自動販売機（１）（１１６０×７２５×１８３０ｍｍ、重さ約３９０ｋｇ）を厚み約６０ｍｍのコンクリート面に図１に示す様な手段で据付けた。即ち先ずコンクリート面（２）に、図２−イ〜ヘに示す如く振動ドリルを用いて、コンクリート用コアドリルでφ４０ｍｍの穴あけ作業を行う。次いで、土穴ぐり用ドリルで土ほぐしを行い、引き続き穴ぐり用ツールにより土堀りを行う。そして穴の中に残った土をバキュームで吸い取る。かくして、直径約１００ｍｍ、深さ約１００ｍｍの筒状の大きな穴を作る。【００２５】  この大きな穴のなかに図２−ヘ及び図３−イ〜ロに示す如く、羽根型特殊アンカーボルト（羽根の長さ６６ｍｍ、開いたときの角度７３℃）を羽根が閉じた状態で挿入する。そしてこのアンカーボルトを図３−イ及び図３−ロに示す如く羽根を開いて、図３−ハから図３−ホに示す通り仮締め治具によって固定する。その後、じょうご（１３）よりモルタルを注入し仮固定した後、仮締め治具をはずす。【００２６】  そして図４−ハから図４−ホに示す通り、その上に平板ブロック（３００×３００ｍｍ、厚み６０ｍｍ）を載置し、自動販売機を設置しレベリングを共締め固定した。【００２７】  羽根型アンカーボルトのコンクリート面からの引き抜き強度は２０００ｋｇｆ以上であった。この試験方法を図６−イ〜ホに示す。
【図面の簡単な説明】
【００２８】
【図１】  図１は本発明施工法の説明図である
【図２】  図２は本発明施工法の詳しい作業を示す説明図である
【図３】  図３は同じく発明施工法の詳しい作業を示す説明図である
【図４】  図４は同じく発明施工法の詳しい作業を示す説明図である
【図５】  本発明施工法で使用する穴あけ作業用工具を示す図面である
【図６】  図６は本発明施工法にする据付け強度を測定したときの方法を示す図面である
【符号の説明】
【００２９】  １  ：  自動販売機
２  ：  コンクリート面
３  ：  コンクリート平板ブロック
４  ：  羽根型アンカーボルト
５  ：  モルタル
６  ：  ナット
７  ：  自動販売機の足
８  ：  土部分
９  ：  土穴ぐり用ドリル
１０  ：  土穴ぐり用ツール
１１  ：  仮締め治具
１２  ：  羽根
１３  ：  じょうご
【図１】
2006228166.tif 000003
【図２】
2006228166.tif 000004
【図３】
2006228166.tif 000005
【図４】
2006228166.tif 000006
【図５】
2006228166.tif 000007
【図６】
2006228166.tif 000008